(57)【要約】【課題】入浴者の身体情報を参照し、入浴時間とともに消費エネルギを提示する給湯器のリモコン装置を提供すること。【解決手段】浴室に設置された給湯器のリモコン装置である。個体情報毎に又は身体情報毎の基礎代謝基準値を記憶する記憶手段（ＲＯＭ５２、ＲＡＭ５４）と、個体情報又は身体情報を入力するとともに、入浴開始指示を入力する入力手段（開始ボタン２０）と、この入力手段から入力された入浴開始指示に基づいて入浴時間を計時するとともに、その計時時間と、予め選択された個体情報又は身体情報に対応する基礎代謝基準値とを用いてエネルギ消費量を演算し、その提示出力を発生する制御手段（ＣＰＵ５０）と、提示出力に基づき、エネルギ消費量を提示する提示手段（表示部３６）とを備えている。【選択図】        図９
2004308947.tif 000002
【特許請求の範囲】
【請求項１】
浴室に設置された給湯器のリモコン装置であって、
個体データ毎に又は身体データ毎の基礎代謝基準値を記憶する記憶手段と、
前記個体データ又は前記身体データを入力するとともに、入浴開始指示を入力する入力手段と、
この入力手段から入力された前記入浴開始指示に基づいて入浴時間を計時するとともに、その計時時間と、予め選択された前記個体データ又は前記身体データに対応する前記基礎代謝基準値とを用いてエネルギ消費量を演算し、その提示出力を発生する制御手段と、
前記提示出力に基づき、前記エネルギ消費量を提示する提示手段と、
を備えた構成としたことを特徴とする給湯器のリモコン装置。
【請求項２】
前記エネルギ消費量は、単位時間毎に演算され、入浴時間に対応する前記エネルギ消費量である構成としたことを特徴とする請求項１記載の給湯器のリモコン装置。
【請求項３】
前記エネルギ消費量の提示は、単位時間毎に算出された前記エネルギ消費量の表示値を更新して表示する構成としたことを特徴とする請求項１記載の給湯器のリモコン装置。
【請求項４】
前記提示手段には、前記計時時間を表示する構成としたことを特徴とする請求項１記載の給湯器のリモコン装置。
【発明の詳細な説明】
【０００１】
【発明の属する技術分野】
本発明は、入浴時間、入浴者の消費エネルギ（熱量）等を表示する給湯器のリモコン装置に関する。
【０００２】
【従来の技術】
入浴は健康維持の主要な要素であり、長湯は健康や美容に良いといわれるが、入浴時間の計時には、リモコン装置に表示された時計表示を利用し、入浴者が浴槽に入る時刻と出る時刻を確認している。このような入浴時間に対する消費エネルギを知ることは、健康維持のための情報として有益である。
【０００３】
従来、入浴に関する情報表示等を開示した特許文献には次のようなものがある。
【０００４】
【特許文献１】
特開２００１─１８３００５号公報
【０００５】
【特許文献２】
特開平９─１５４８２４号公報
【０００６】
【発明が解決しようとする課題】
ところで、特許文献１には、浴湯循環濾過装置に関し、入浴時間と湯温より消費エネルギを表示することが開示されているが、給湯器のリモコン装置を用いたものではなく、エネルギ計算に個人情報が用いられていないため、消費エネルギは入浴者個人の消費エネルギを示したものではなく、その値は参考程度のものである。また、特許文献２には、入浴装置に関し、摂取カロリーをもとに、入浴パターンを決めることが開示されているが、摂取カロリーに対応する入浴パターンの目標設定にすぎず、消費エネルギの演算やその提示ではない。
【０００７】
そこで、本発明は、入浴者の身体データを参照し、入浴時間とともに消費エネルギを提示する給湯器のリモコン装置を提供することを目的とする。
【０００８】
【課題を解決するための手段】
上記目的を達成するため、本発明の給湯器のリモコン装置は、浴室に設置された給湯器のリモコン装置であって、個体データ毎に又は身体データ毎の基礎代謝基準値を記憶する記憶手段（ＲＡＭ５４、ＲＯＭ５２）と、前記個体データ又は前記身体データを入力するとともに、入浴開始指示を入力する入力手段（開始ボタン２０）と、この入力手段から入力された前記入浴開始指示に基づいて入浴時間を計時するとともに、その計時時間と、予め選択された前記個体データ又は前記身体データに対応する前記基礎代謝基準値とを用いてエネルギ消費量を演算し、その提示出力を発生する制御手段（ＣＰＵ５０）と、前記提示出力に基づき、前記エネルギ消費量を提示する提示手段（表示部３６）とを備えた構成である。
【０００９】
係る構成とすれば、既存のリモコン装置の付加機能として、入浴時間に対応したエネルギ消費量が提示される。エネルギ消費量の演算は、個体データ毎に又は身体データ毎の基礎代謝基準値を記憶手段から読み出し、入浴開始指示に基づいて入浴時間を計時し、その計時時間と、予め選択された個体データ又は身体データに対応する基礎代謝基準値とを用いてエネルギ消費量が演算される。その演算結果であるエネルギ消費量が個体データ又は身体データに応じて表示される。
【００１０】
上記目的を達成するには、前記エネルギ消費量は、単位時間毎に演算され、入浴時間に対応する前記エネルギ消費量である構成としてもよい。
【００１１】
上記目的を達成するには、前記エネルギ消費量の提示は、単位時間毎に算出された前記エネルギ消費量の表示値を更新して表示する構成としてもよい。単位時間毎に演算値を更新すれば、入浴者は入浴時間の経過とともに、エネルギ消費量を知ることができ、エネルギ消費量から入浴時間を調整することが可能になる。
【００１２】
上記目的を達成するには、前記提示手段には前記計時時間を表示する構成としてもよい。計時時間を表示すれば、入浴者が自己の入浴時間とエネルギ消費量との関係を知ることができる。
【００１３】
【発明の実施の形態】本発明の給湯器のリモコン装置の実施形態を図１を参照して説明する。図１は、その実施形態に係る給湯器のリモコン装置を示している。この実施形態では、浴室２に浴槽４とともにリモコン装置として例えば、浴室リモコン６が設置され、この浴室リモコン６によって操作される本体コントローラ８を備えた給湯器１０が浴室２の外に設置されている。給湯器１０と浴槽４とは、循環路１１及び循環口１３を通して連結され、浴槽４への給湯又は浴槽水ＢＷの追焚きが行われる。
【００１４】
そして、浴室リモコン６を用いることにより、入浴者が給湯器の各種設定変更を行ったり、動作状態を確認することができるとともに、入浴時の消費エネルギ（消費カロリー）の測定及びその表示をすることができる。
【００１５】
次に、浴室リモコン６について、図２を参照して説明する。図２は浴室リモコン６の構成の一例を示している。
【００１６】
この浴室リモコン６には、運転スイッチ１２、給湯温度を昇降させるスイッチとして上ボタン１４、下ボタン１６、設定ボタン１８、開始ボタン２０、インターホンの通話スイッチ２２、停止ボタン２４、追いだきスイッチ２６、ふろ自動スイッチ２８、メニューボタン３０、スピーカ３２、マイクロホン３４、表示部３６等が設置されている。表示部３６には、セグメント表示部３８、省電力表示部４０が設けられており、セグメント表示部３８には、ふろ情報表示部４２及び給湯情報表示部４４が設けられている。
【００１７】
次に、浴室リモコン６の回路構成を図３を参照して説明する。図３は、浴室リモコン６の回路構成を示している。
【００１８】
この浴室リモコン６には、制御手段及び演算手段としてＣＰＵ（Ｃｅｎｔｒａｌ  Ｐｒｏｃｅｓｓｉｎｇ  Ｕｎｉｔ  ）５０、記憶手段としてＲＯＭ（Ｒｅａｄ−Ｏｎｌｙ  Ｍｅｍｏｒｙ）５２、ＲＡＭ（Ｒａｎｄｏｍ−Ａｃｃｅｓｓ  Ｍｅｍｏｒｙ）５４、ＥＥＰＲＯＭ５６、音声用ＲＯＭ５８、クロック回路６０、タイマー６２、音声信号変調・データ変換回路６４、音声データ送受信回路６６、音声データ変換・復調回路６８、制御データ送受信回路７０、インターホン／音声切替回路７２、音声データ出力回路７４及びインターフェイス回路（Ｉ／Ｆ）７６、表示部３６のセグメント表示部３８の駆動回路７８、表示回路８０、セグメント表示部３８、省電力表示部４０、他の表示手段としてふろ自動表示部８６、追いだき表示部８８等が設置されている。
【００１９】
次に、給湯器１０を図４を参照して説明する。図４は、給湯器１０の概要を示している。
【００２０】
給湯器１０には、給湯用熱交換器９０、風呂用熱交換器９２等が設置され、給湯用熱交換器９０にはバーナ９４、風呂用熱交換器９２にはバーナ９６が設置され、各バーナ９４、９６には燃料用ガスＧが供給されるが、この燃料用ガスＧのガス供給管９８には、切替え、調整等の手段として、上流側からガス元弁１００、ガス比例弁１０２、給湯ガス弁１０４、給湯ガス切替弁１０６、ふろガス弁１０８が設けられている。各バーナ９４、９６には共通の給気ファン１１０が設置され、個別にフレームロッド１１２、１１４及びイグナイタ１１６が設置されている。浴槽４の循環口１３には循環路１１を構成する戻り管１３４及び往き管１３５を介して熱交換器９２が接続されている。
【００２１】
入水管１１８には入水温度センサ１２０、給水量センサ１２２、熱交換器９０の出湯側管路１２４には、熱交温度センサ１２６、出湯温度センサ１２８、水制御弁１３０、熱交換器９０のバイパス管路にはバイパス水制御弁１３２、出湯側管路１２４と循環路１１の戻り管１３４との間の出湯管１３６には、注湯電磁弁１３８、注水量センサ１４０、逆止弁１４２、戻り管１３４にはポンプ１４４、切替弁１４６、水位センサ１４８、ふろ戻り温度センサ１５０が設置されている。ポンプ１４４にはポンプ流水スイッチ１５２が設置され、切替弁１４６には切替弁開リミットスイッチ１５４、切替弁閉リミットスイッチ１５６が設置されている。水位センサ１４８は戻り管１３４に作用する浴槽水ＢＷの圧力により、浴槽水ＢＷの水位を検出する。
【００２２】
次に、本体コントローラ８について、図５を参照して説明する。図５は、本体コントローラ８の構成の一例を示している。
【００２３】
本体コントローラ８は、制御手段及び演算手段としてＣＰＵ（Ｃｅｎｔｒａｌ  Ｐｒｏｃｅｓｓｉｎｇ  Ｕｎｉｔ  ）１６０、記憶手段としてＲＯＭ（Ｒｅａｄ−Ｏｎｌｙ  Ｍｅｍｏｒｙ）１６２、ＲＡＭ（Ｒａｎｄｏｍ−Ａｃｃｅｓｓ  Ｍｅｍｏｒｙ）１６４、クロック回路１６６、送受信回路１６８、電源回路１７０、インターフェイス回路（Ｉ／Ｆ）１７２、１７４、１７６、１７８、１８０、１８２、１８４、１８６、１８８、１９０、１９２、１９４、アナログ・ディジタル（Ａ／Ｄ）変換回路１９６、１９８、２００、２０２、２０４、駆動回路２０６、２０８、２１０、２１２、２１４、２１６、２１８、２２０、２２２、２２４、２２６、２２８等が設置され、電源回路１７０には交流電源が供給される。Ｉ／Ｆ１７２〜１９４は水位センサ１４８等の各種センサからの検出信号をＣＰＵ１６０側に入力するための手段であり、アナログ・ディジタル変換回路１９６〜２０４は検出信号がアナログ信号の場合にディジタル信号に変換する手段であり、また、駆動回路２０６〜２２８はＣＰＵ１６０の出力信号に応じて駆動出力を給湯ガス弁１０４等の駆動手段に供給する手段である。
【００２４】
ところで、本発明の給湯器のリモコン装置において、入浴者の消費エネルキの演算には、例えば、次のような計算方法が用いられる。
【００２５】
入浴時における消費エネルギ（カロリー）は安静時の代謝量と入浴によるエネルギ消費量の合計で求められる（消費エネルギ＝安静時の代謝量＋入浴によるエネルギ消費量）。安静時の代謝量は基礎代謝量に対して年齢と性別毎にほぼ一定の関係があり、成年男子、成年女子、年少者（６〜１５歳）でそれぞれ１．２５、１．１５、１．２０となる。代謝量は、表１及び表２の通りである（杉春夫編集、杉春夫、斉藤望、佐藤昭夫執筆「栄養・健康科学シリーズ／運動生理学」の第４９頁より転載）。
【００２６】
【表１】
2004308947.tif 000003
【００２７】
【表２】
2004308947.tif 000004
【００２８】
入浴によるエネルギ消費量は基礎代謝量に対して一定の１．００である。基礎代謝量は、性別、年齢が同じであれば体重に比例し、１ｋｇあたりの基礎代謝基準値は、性別、年齢毎に決まる。そこで、入浴時における消費エネルギ（カロリー）は、杉春夫編集、杉春夫、斉藤望、佐藤昭夫執筆「栄養・健康科学シリーズ／運動生理学」第６１頁によれば、
2004308947.tif 000005
である。従って、身体データ（性別、年齢、体重）と入浴時間により入浴時における消費エネルギが算出される。
【００２９】
このような基礎代謝量を参照して作成された演算データは、ＲＯＭ５２、ＲＡＭ５４に格納されている。図６に示すように、ＲＡＭ５４はワークメモリや記憶メモリ等として構成され、入浴者データは身体データ番号に編成され、身体データは例えば、体重、身長、性別及び年齢から構成される。身体データ番号は、０、１、２、３、４・・・に編成され、年齢に対応するテーブル番号はＲＯＭ５２に格納されている。例えば、１〜２歳はテーブル番号０、３〜５歳はテーブル番号１、６〜８歳はテーブル番号２・・・・５０〜６９歳はテーブル番号９、７０歳以上はテーブル番号１０に割り当てられている。そして、ＲＯＭ５２には、図７に示すように、代謝テーブルが構成されており、テーブル番号毎、即ち、年齢毎に男性及び女性の１ｋｇ、１分あたりの基礎代謝基準値が格納され、また、図８に示すように、テーブル番号毎に基礎代謝量に対する入浴時代謝量比が男性及び女性毎に格納されている。このような演算データの構成は一例であり、本発明が係る構成に限定されるものではない。ところで、前記入浴時代謝量比とは、安静時の代謝量比と入浴によるエネルギ消費比を加算したもので、次式から求められる値である。
入浴時代謝量比＝安静時の代謝量比（Ａ）＋１    ・・・（２）
【００３０】
次に、このような演算方法を用いた消費エネルギの測定処理を図９を参照して説明する。図９は、測定処理プログラムを示すフローチャートである。
【００３１】
入浴中の消費エネルギを知りたい入浴者は、入浴を開始した際、リモコン装置の例えば、浴室リモコン６のメニューボタン３０により「ｃａｌ」を選択し、次に、開始ボタン２０を押すと、機能ＯＮを表す受付音が発せられ、「ｃａｌ」が点滅から点灯に変わり、「ｃａｌ」の下の「カーソル」が点灯し、消費エネルギ測定モードになる（ステップＳ１）。
【００３２】
この消費エネルギ測定モードに移行すると、身体データの設定モードに移行し（ステップＳ２）、身体データの選択及び設定（体重、身長、性別、年齢）を行う。
【００３３】
この場合、複数人数分の身体データが例えば、ＲＡＭ５４に格納され、この身体データは、それぞれに０，１，２，３，４，５・・・のデータ番号が割り当てられる。このＲＡＭ５４は、浴室リモコン６と接続された給湯器１０の制御装置である本体コントローラ８に設けられていてもよく、その場合には制御データ送受信回路７０を経由して必要な身体データを読み出し、浴室リモコン６で使用することができる。
【００３４】
この場合、それぞれのデータ番号毎に体重、身長、性別、年齢がＲＡＭ５４に格納されており、入浴者は自分のデータ番号を浴室リモコン６の表示部３６上で選択することにより、消費エネルギ計算に必要な身体データを毎回入力することなく利用することができる。
【００３５】
そして、ＣＰＵ５０はＲＡＭ５４より選択されたデータ番号に対応して記憶された身体データを読み込み、消費エネルギ計算に必要な身体データの取得が終了し、身体データ設定モードを完了する。必要に応じて、選択したデータ番号に対する身体データをその時点で浴室リモコン６上の操作により変更するとともに、ＲＡＭ５４に格納することが可能である。
【００３６】
このような操作により、消費エネルギ測定モードとなり、タイマー６２を起動させ、計時、即ち、時間の測定を開始する（ステップＳ３）。なお、タイマー６２は、浴室リモコン６と接続された給湯器１０側の本体コントローラ８側に設けられていてもよく、その場合には制御データ送受信回路７０を経由し、その計時データを浴室リモコン６側で利用することが可能である。
【００３７】
消費エネルギ測定モードになったら、表示部３６内のふろ情報表示部４２に測定時間を示す１分間隔でアップするタイマー値を表示する。この時間表示は０〜９０までとし、９０分経過すると自動的に消費エネルギ測定モードは終了する。ステップ７）。
【００３８】
タイマー６２が１分毎にアップする度に（ステップＳ５）、消費エネルギ表示とともに、報知音をスピーカ３２より発し、入浴者に浴室リモコン６の表示確認を促し、今までの消費エネルギを表示部３６の時計表示部４６に０．１ｋｃａｌ単位で１０秒間表示する（図１０参照）。消費エネルギを表示しているとき、表示部３６の「ｋｃａｌ」を点灯する（ステップＳ６）。図１０は、その表示の一例である。
【００３９】
そして、消費エネルギ計算は次のように行う。既述の表１及び表２に記載された性別、年齢毎に決まる１ｋｇ、１分あたりの基礎代謝基準値（以後「基礎代謝基準値」とする）と、年齢と性別毎に決まる基礎代謝量に対する入浴時の代謝量比（以後「Ａ＋１」とする）はＲＯＭ５２に格納しており、ＣＰＵ５０は、選択した身体データ番号（ｘとする）よりｘの体重「体重ｘ」を取得し、ｘの性別、年齢情報によりＲＯＭ５２よりｘに対する基礎代謝基準値「基礎代謝基準値ｘ」と入浴時の代謝量比「（Ａ＋１）ｘ」を取得する。そこで、ＣＰＵ５０は取得したデータにより演算を行う。その際、演算式（消費エネルギ演算式）はタイマー値をｎ分時とすると、消費エネルギは、
消費エネルギ＝〔基礎代謝基準値ｘ〕×〔（Ａ＋１）ｘ〕×〔体重ｘ〕×ｎ・・・（３）
となり、ｎ分時における消費エネルギが算出される。
【００４０】
この演算及びその表示から、一定時間、例えば、１０秒経過すると、「ｋｃａｌ」が消灯し、時計表示部４６は現在時刻表示（通常表示）となる。
【００４１】
消費エネルギ測定中（９０分以内）、入浴を終了する際は、停止ボタン２４を押す等の操作を行うと（ステップＳ４）、機能ＯＦＦを受け付ける報知音が発せられ、入浴者のその時点までの測定時間、消費エネルギを１０秒間表示し（ステップＳ９）、消費エネルギの測定及びその表示動作を終了する。
【００４２】
消費エネルギ測定モードが終了するとき、表示部３６のふろ情報表示部４２はふろ温度、時計表示部４６は現在の時刻表示に戻り、「ｋｃａｌ」を消灯し、動作を終了する（ステップＳ８）。
【００４３】
ここで、以上述べた処理について、図６ないし図８を参照し、ＲＯＭ５２、ＲＡＭ５４に格納された演算データを用いた具体的な処理を述べると、先ず、入浴者の身体データ番号が入力されると、選択された身体データ番号から入浴者年齢が読み込まれる。読み込んだ年齢データを元に年齢に対応するテーブル番号をＲＯＭ５２の代謝テーブルからテーブル番号を取得する。例えば、１６歳であれば、その年齢１６〜１７歳を表すテーブル番号６となる。このテーブル番号と入浴者の身体データである性別により基礎代謝基準値が取得される。ここで、テーブル番号と入浴者身体データ性別とにより基礎代謝基準値に対する入浴時代謝量比が取得される。そして、選択された身体データ番号から入浴者体重を読み込み、タイマー６２より経過時間（ｎ）を更新する。この結果、消費エネルギの計算が行われ、消費エネルギは、式（３）  から算出される。そして、入浴時間ｎ及び消費エネルギが表示部３６に表示される。このような処理は、既述したように、停止又は９０分経過までステップＳ４ないしＳ７が繰り返されることになる。
【００４４】
このように、入浴者は特別なタイマーや電卓等を用いることなく、リモコン装置として、浴室２に設置されている浴室リモコン６を用いて入浴時間を知ることができるとともに、その入浴時間中の自己の消費エネルギを知ることができる。この場合、各個の身体データを使用するため、個人差を考慮した消費エネルギを求めることができる。
【００４５】
なお、水位センサ１４８で検出される浴槽４の水位を利用し、その水位の変化時間を積算することにより、入浴時間、消費エネルギを算出するようにしてもよい。
【００４６】
また、実施形態では、リモコン装置として浴室リモコン６を例示したが、浴室以外のリモコン装置を用いてもよい。
【００４７】
【発明の効果】以上説明したように、本発明によれば、既設の給湯器のリモコン装置を用いて、簡単な操作で、入浴時間、消費エネルギを算出して表示させることができるとともに、その演算に個人情報を考慮して消費エネルギを算出しているので、正確な消費エネルギを知ることができる。しかも、浴室に特別な装置を持ち込む必要がなく、消費エネルギを知ることができ、消費エネルギを目安にして入浴時間を決定できる等、給湯器のリモコン装置の利便性を向上させることができる。
【図面の簡単な説明】
【図１】本発明の実施形態に係る給湯器のリモコン装置を示す図である。
【図２】浴室リモコンの表示部の構成を示す図である。
【図３】浴室リモコンの構成を示すブロック図である。
【図４】給湯器の構造を示す図である。
【図５】本体コントローラの構成を示すブロック図である。
【図６】ＲＯＭ及びＲＡＭに格納されるデータ構成を示す図である。
【図７】ＲＯＭの代謝テーブルを示す図である。
【図８】ＲＯＭの代謝テーブルを示す図である。
【図９】消費エネルギの測定動作を示すフローチャートである。
【図１０】表示部の表示を示す図である。
【符号の説明】
２０  開始ボタン（入力手段）
３６  表示部（提示手段）
５０  ＣＰＵ（制御手段）
５２  ＲＯＭ（記憶手段）
５４  ＲＡＭ（記憶手段）
【図１】
2004308947.tif 000006
【図２】
2004308947.tif 000007
【図３】
2004308947.tif 000008
【図４】
2004308947.tif 000009
【図５】
2004308947.tif 000010
【図６】
2004308947.tif 000011
【図７】
2004308947.tif 000012
【図８】
2004308947.tif 000013
【図９】
2004308947.tif 000014
【図１０】
2004308947.tif 000015
【手続補正書】
【提出日】平成15年4月9日(2003.4.9)
【手続補正１】
【補正対象書類名】明細書
【補正対象項目名】００１６
【補正方法】変更
【補正の内容】
【００１６】
この浴室リモコン６には、運転スイッチ１２、給湯温度を昇降させるスイッチとして上ボタン１４、下ボタン１６、設定ボタン１８、開始ボタン２０、インターホンの通話スイッチ２２、停止ボタン２４、追いだきスイッチ２６、ふろ自動スイッチ２８、メニューボタン３０、スピーカ３２、マイクロホン３４、表示部３６等が設置されている。表示部３６には、セグメント表示部３８、省電力表示部４０が設けられており、セグメント表示部３８には、ふろ情報表示部４２、給湯情報表示部４４及び時計表示部４６等が設けられている。８６はふろ自動表示部、８８は追いだき表示部である。
【手続補正２】
【補正対象書類名】明細書
【補正対象項目名】００２４
【補正方法】変更
【補正の内容】
【００２４】
ところで、本発明の給湯器のリモコン装置において、入浴者の消費エネルギの演算には、例えば、次のような計算方法が用いられる。


【手続補正３】
【補正対象書類名】明細書
【補正対象項目名】００４３
【補正方法】変更
【補正の内容】
【００４３】
ここで、以上述べた処理について、図６ないし図８を参照し、ＲＯＭ５２、ＲＡＭ５４に格納された演算データを用いた具体的な処理を述べると、先ず、入浴者の身体データ番号が入力されると、選択された身体データ番号から入浴者年齢が読み込まれる。読み込んだ年齢データを元に年齢に対応するテーブル番号をＲＯＭ５２の代謝テーブルからテーブル番号を取得する。例えば、１６歳であれば、その年齢１６〜１７歳を表すテーブル番号６となる。このテーブル番号と入浴者の身体データである性別により基礎代謝基準値が取得される。ここで、テーブル番号と入浴者身体データ性別とにより基礎代謝に対する入浴時代謝量比が取得される。そして、選択された身体データ番号から入浴者体重を読み込み、タイマー６２より経過時間（ｎ）を更新する。この結果、消費エネルギの計算が行われ、消費エネルギは、式（３）  から算出される。そして、入浴時間ｎ及び消費エネルギが表示部３６に表示される。このような処理は、既述したように、停止又は９０分経過までステップＳ４ないしＳ７が繰り返されることになる。


【手続補正４】
【補正対象書類名】図面
【補正対象項目名】図１
【補正方法】変更
【補正の内容】
【図１】
2004308947.tif 000016
【手続補正５】
【補正対象書類名】図面
【補正対象項目名】図２
【補正方法】変更
【補正の内容】
【図２】
2004308947.tif 000017
【手続補正６】
【補正対象書類名】図面
【補正対象項目名】図３
【補正方法】変更
【補正の内容】
【図３】
2004308947.tif 000018
【手続補正７】
【補正対象書類名】図面
【補正対象項目名】図４
【補正方法】変更
【補正の内容】
【図４】
2004308947.tif 000019
【手続補正８】
【補正対象書類名】図面
【補正対象項目名】図５
【補正方法】変更
【補正の内容】
【図５】
2004308947.tif 000020
【手続補正９】
【補正対象書類名】図面
【補正対象項目名】図６
【補正方法】変更
【補正の内容】
【図６】
2004308947.tif 000021
【手続補正１０】
【補正対象書類名】図面
【補正対象項目名】図７
【補正方法】変更
【補正の内容】
【図７】
2004308947.tif 000022
【手続補正１１】
【補正対象書類名】図面
【補正対象項目名】図８
【補正方法】変更
【補正の内容】
【図８】
2004308947.tif 000023
【手続補正１２】
【補正対象書類名】図面
【補正対象項目名】図９
【補正方法】変更
【補正の内容】
【図９】
2004308947.tif 000024
【手続補正１３】
【補正対象書類名】図面
【補正対象項目名】図１０
【補正方法】変更
【補正の内容】
【図１０】
2004308947.tif 000025